(57)【要約】【課題】  光の照射範囲を広げることができるとともに、透光パネルに所定の強度を確保できる埋込型照明器具を提供する。【解決手段】  埋込型照明器具Ｌは、施工面Ｘに埋設された埋め込みボックス５に収納されることで施工面Ｘに埋め込み設置される上面が開口した器具本体１と、上面側へ光を照射する複数の発光ダイオード２０…を有して器具本体１内に収納される光源基板２と、前記器具本体１の上面開口を閉塞するとともに発光ダイオード２０…の光を透過する透光パネル３とを備え、透光パネル３は、２数の透光部材３０，３１を接合してなる積層構造を有し、透光部材３０，３１を接合する接着剤４が光拡散部となっている。【選択図】図１
2007026829.tif 000002
【特許請求の範囲】
【請求項１】
施工面に埋め込み設置される一面が開口した器具本体と、器具本体内に収納されて器具本体の一面側へ光を照射する光源と、前記器具本体の一面開口を閉塞するとともに光源の光を透過する透光パネルとを備え、前記透光パネルは、前記器具本体の一面開口を閉塞する形状を有する複数の透光部材を接合してなる積層構造を有し、前記透光部材間の接合部位には光拡散部が設けられていることを特徴とする埋込型照明器具。
【請求項２】
施工面近傍の照度を検出する照度センサと、該照度センサにより得られた照度に対して光源の輝度が比例するように光源の輝度を調整する調光回路とを備えていることを特徴とする埋込型照明器具。
【発明の詳細な説明】
【技術分野】
【０００１】
本発明は、床面や地面などに埋め込み設置されて、歩行者などに注意換気を促すために使用される埋込型照明器具に関する。
【背景技術】
【０００２】
従来から、床面や地面などに埋め込み設置される埋込型照明器具が提供されている。このような埋込型照明器具の一例としては、一面が開口した器具本体と、器具本体内に収納されて器具本体の開口側へ光を照射する複数の発光ダイオードと、発光ダイオードの光を拡散するＶカット板部材のような光拡散部と、Ｖカット板部材で拡散された光を受けて所望の文字などを表示するためのカラーボード部材と、器具本体の開口部を閉塞する強化プラスチック板部材のような透光パネルとを備えたものが提供されている（特許文献１）。
【特許文献１】特開２００２−７５００７号公報（第３図）
【発明の開示】
【発明が解決しようとする課題】
【０００３】
上述したような埋込型照明器具は、例えば図６（ａ）に示すような横断歩道ＣＷにおける車道ＲＷと歩道ＳＷとの境界部分ＢＬや、図６（ｂ）に示すような階段ＳＣと歩道ＳＷとの境界部分ＢＬに設置されて、歩行者に注意を喚起するために使用されるので、歩行者が遠方からでも埋込型照明器具の光を認知し易いように、埋込型照明器具の光の照射範囲は広い方が好ましい。
【０００４】
しかしながら、特許文献１の埋込型照明器具は、発光ダイオードの光を拡散するための光拡散部が器具本体の奥まった位置に配設されているので、あまり広範囲に光を照射することができなかった。
【０００５】
これに対して、光拡散部を透光パネルの表面に設ければ、光の照射範囲を最も広くできるが、この場合は、光拡散部が路面などに露出するため、汚れや、歩行者などが光拡散部を踏むこと、或いは雨水や大気中に含まれる微量の石英などによって光拡散部の表面の凹凸形状などが平滑化されて、光を拡散する機能が弱くなってしまうおそれがある。そのため、常に好適な光の照射範囲を得るためには、光拡散部を頻繁に新しいものと取り替えなければならず、このような観点からみれば光拡散部を透光パネルの表面に設けることはデメリットが多すぎて全く現実的ではなかった。
【０００６】
また、光拡散部を透光パネルの表面に設けなくても、器具本体内において光拡散部を器具本体の開口に近付けるように配設すれば光の照射範囲を広げることが可能であったが、光拡散部を器具本体の開口に近付けるためには器具本体の開口を閉塞する透光パネルの厚みを薄くする必要があった。このように透光パネルの厚みを薄くすると、当然、透光パネルの強度が弱くなるため、歩行者が埋込型照明器具を踏んだ際に透光パネルが割れ易くなり、埋込型照明器具が破損し易くなるという新たな問題が生じていた。
【０００７】
本発明は上述の点に鑑みて為されたもので、その目的は、光の照射範囲を広げることができるとともに、透光パネルに所定の強度を確保できる埋込型照明器具を提供することである。
【課題を解決するための手段】
【０００８】
上述の課題を解決するために、請求項１の埋込型照明器具の発明では、施工面に埋め込み設置される一面が開口した器具本体と、器具本体内に収納されて器具本体の一面側へ光を照射する光源と、前記器具本体の一面開口を閉塞するとともに光源の光を透過する透光パネルとを備え、前記透光パネルは、前記器具本体の一面開口を閉塞する形状を有する複数の透光部材を接合してなる積層構造を有し、前記透光部材間の接合部位には光拡散部が設けられていることを特徴とする。
【０００９】
請求項２の埋込型照明器具の発明では、請求項１の構成に加えて、施工面近傍の照度を検出する照度センサと、該照度センサにより得られた照度に対して光源の輝度が比例するように光源の輝度を調整する調光回路とを備えていることを特徴とする。
【発明の効果】
【００１０】
本発明は、透光パネルを複数の透光部材を接合してなる積層構造とするとともに、透光部材間の接合部位に光拡散部を設けるようにしているので、透光パネルの厚みを薄くすることなく光拡散部を器具本体の開口近傍に設けることが可能になり、これにより透光パネルに所定の強度を確保しつつも光を広範囲に照射することができるという効果がある。
【発明を実施するための最良の形態】
【００１１】
以下、本発明の実施形態について、図１〜図６を参照して説明する。尚、以下の実施形態では図１（ａ）の上方を埋込型照明器具の上方とし、図１（ａ）の下方を埋込型照明器具の下方とする。
【００１２】
（実施形態１）
本実施形態の埋込型照明器具Ｌは、図１（ａ），（ｂ）に示すように、施工面Ｘに埋設された埋め込みボックス５に収納されることで施工面Ｘに埋め込み設置される一面（上面）が開口した器具本体１と、一面側（上面側）へ光を照射する光源となる複数の発光ダイオード２０…を有して器具本体１内に収納される光源基板２と、前記器具本体１の上面開口を閉塞するとともに発光ダイオード２０…の光を透過する透光パネル３とを備え、透光パネル３は、接合された２枚の透光部材３０，３１からなる積層構造を有し、透光部材３０，３１の接合に用いる接着剤４が光拡散部となっている。尚、発光ダイオード２０…は、図１（ａ）及び図２では省略している。
【００１３】
まず、埋込型照明器具Ｌが埋設される埋め込みボックス５について説明する。この埋め込みボックス５は、地面や床面、路面さらには壁面などの施工面Ｘに予め埋設されているものであり、例えば衝撃に強く、錆難いステンレス鋼板などを用いて上面が開口した直方体の箱状に形成されている。この埋め込みボックス５の長手方向両側面には、図１（ａ）及び図２に示すように、光源基板２に接続する外部の電源の電源線（リード線など）Ｈを埋め込みボックス５内に挿入するための電源線挿入孔５ａが形成されている。また埋め込みボックス５の短手方向の両内側面には、図２に示すように、それぞれステンレス鋼板製の矩形板５０が接合されており、この矩形板５０の上端部には埋め込みボックス５内方へ突出する支持片５０ａが一体に形成されており、埋込型照明器具Ｌは、器具本体１をこれら支持片５０ａ，５０ａにより支持された状態で埋め込みボックス５内に収納される。
【００１４】
次に、埋込型照明器具Ｌについて説明する。埋込型照明器具Ｌの器具本体１は、埋め込みボックス５に収納できる大きさに形成されており、図２に示すように主に光源基板２が収納される下部ケース１０と、主に透光パネル３が収納される上部ケース１１とで構成されている。また、器具本体１を構成する下部ケース１０及び上部ケース１１は、ともにステンレス鋼板や強化プラスチックなどの衝撃に強く、錆難い材料を用いて形成されている。
【００１５】
下部ケース１０は、上面が開口した直方体の箱状に形成された本体部１０ａと、本体部１０ａの開口縁部から外方へ突出形成された矩形枠状のフランジ部１０ｂとを一体に備えている。また、本体部１０ａの底部には、光源基板２を支持する一対の円筒状の支持リブ１０ｃ，１０ｃが本体部１０ａの底部を長手方向に三等分するような位置に突設されており、この支持リブ１０ｃ，１０ｃには光源基盤２を固定するための固定ねじＳ１が挿通されるねじ挿通孔（図示せず）が形成されている。
【００１６】
一方、下部ケース１０の底部の長手方向一端側（図１（ａ）の右端側）には、電源線Ｈを器具本体１内に挿入するための電源線挿入孔（図示せず）が形成されている。さらに本体部１０ａの底部には、固定具６取り付け用の一対のねじ孔（図示せず）が形成されている。ここで、固定具６について説明する。この固定具６は、電源線Ｈを押さえ付けて電源線Ｈと光源基板２との接続部分に負荷がかからないようにするための張力止めとして用いられるものであり、略コ字状の台部６０と、略Ｉ字状の押さえ部６１とで構成されている。台部６０は、上下方向に略並行する一対の側片６０ａ，６０ａと、両側片６０ａ，６０ａの上端部を連結する連結片６０ｂとを一体に備えて略コ字状に形成されており、両側片６０ａ，６０ａには、固定具６を下部ケース１０に取り付ける固定ねじＳ２に対応したねじ挿通孔（図示せず）が上下方向に貫設されている。一方、押さえ部６１は、左右方向を長手方向とする長尺棒状に形成されており、長手方向両端側には台部６０の両側片６０ａ，６０ａに設けられたねじ挿通孔（図示せず）にそれぞれ連通するねじ挿通孔（図示せず）が上下方向に貫設されている。このように形成された固定具６によれば、台部６０の両側片６０ａ，６０ａ間に電源線Ｈを配置し、固定ねじＳ２，Ｓ２を用いて押さえ部６１を台部６０の下端側に取り付けることで、台部６０の連結片６０ｂと押さえ部６１とで電源線Ｈを上下から狭持することができるようになっている。
【００１７】
上部ケース１１は、上面が開口した直方体の箱状に形成されているが、その外形は下部ケース１０の本体部１０ａの外形よりも大きく、且つ埋め込みボックス５の外形よりも小さくなるようにしている。また、上部ケース１１の底部１１ａには、下部ケース１０の本体部１０ａが挿通できる大きさの矩形状の挿通孔１１ｂが貫設されている。
【００１８】
そして、下部ケース１０と上部ケース１１とは、上部ケース１１の挿通孔１１ｂから下部ケース１０の本体部１０ａを下方へ突出させた状態で、下部ケース１０のフランジ部１０ｂの下面を上部ケース１１の底部１１ａの上面に溶接などで接合することで一体化され、これにより器具本体１が構成されている。
【００１９】
光源基板２は、図１（ｂ）に示すように、長尺状に形成されたプリント配線板２１と、プリント配線板２１上に長手方向に列設された複数の表面実装型の発光ダイオード２０…からなるＬＥＤ発光ユニット２２と、プリント配線板２１に実装された図示しない電子部品などとで構成されており、電源線Ｈから供給される駆動電流によって発光ダイオード２０…を発光させて、器具本体１の開口側（上側）へ光を照射するように構成されている。この光源基板２のプリント配線板２１には、その長手方向を三等分するような位置に支持リブ１０ｃ，１０ｃのねじ挿通孔（図示せず）に対応する挿通孔（図示せず）が設けられている。また、プリント配線板２１の一端側（図１（ａ）における右端側）には、電源線Ｈを接続するための端子部（図示せず）が設けられている。尚、本実施形態の埋込型照明器具に用いる光源としては、上記のような発光ダイオードを用いたものに限られるものではなく、例えば蛍光灯をはじめとする各種放電灯など様々な光源を用いることができる。
【００２０】
透光パネル３は、その表面（上面）が埋込型照明器具Ｌの発光面となるものであり、図１（ｂ）に示すように、２枚の透光部材３０，３１を上下に重ね合わせ、例えば光を拡散する性質を有する乳白色の接着剤４を用いて透光部材３０の下面を透光部材３１の上面に接合することで構成されている。つまり、透光パネル３は、２枚の透光部材３０，３１を接合してなる積層構造を有しており、これら透光部材３０，３１間の接合部位の接着剤４が光拡散部となっている。
【００２１】
このような透光パネル３を構成する透光部材３０，３１は、それぞれ透光性を有する強化ガラスなど（光の透過率が高いものが好ましい）を用いて上部ケース１１の上面開口を閉塞できる大きさの矩形板状に形成されており、これら２枚の透光部材３０，３１の厚みの合計値（つまりは透光パネル３の厚み）は、透光パネル３の上に人が乗っても破損することのないような厚みに設定している。
【００２２】
而して乳白色の接着剤４を用いて透光部材３０，３１を接合することで、光拡散部を透光パネル３中に配置することが可能になり、上側の透光部材３０を薄くすればするほど光拡散部となる接着剤４を器具本体１の開口側に近付けることができ、また透光部材３０，３１が接合されていることにより全体として強度の増加が図られている。尚、光拡散部として乳白色の接着剤４を用いる代わりに乳白ガラスを透光部材３０，３１間に介在させて透光部材３０，３１とそれぞれ接合することも考えられるが、乳白色の接着剤を用いる方が乳白ガラスを用いる場合に比べて、透過率を低くしなくても透過率のばらつきを抑えることができるため有利であり、また組立工数を少なくできる点でも有利である。
【００２３】
ところで、この透光パネル３を器具本体１に収納する際には、雨水などが器具本体１内に侵入しないように、透光パネル３と透光パネル３が載置されるフランジ部１０ｂとの間に図２に示すような防水用のパッキン７を介在させておくことが好ましい。このようなパッキン７は、例えばシリコンなどの弾性を備えたゴム材を用いてフランジ部１０ｂと略同形状の矩形枠状に形成されている。
【００２４】
以上述べたように、本実施形態の埋込型照明器具Ｌは、下部ケース１０及び上部ケース１１からなる器具本体１と、器具本体１に収納される光源基板２及び透光パネル３並びにパッキン７と、電源線Ｈを固定する固定具６とで構成されており、以下にその組み立て方法について説明する。
【００２５】
まず、光源基板２を下部ケース１０内に収納するのであるが、この収納作業は、ＬＥＤ発光ユニット２２を上方に向けるとともに、プリント配線板２１の挿通孔（図示せず）をそれぞれ一対の支持リブ１０ｃ，１０ｃのねじ挿通孔（図示せず）に連通させた状態で光源基板２を一対の支持リブ１０ｃ，１０ｃ上に載置し、この連通させた挿通孔及びねじ挿通孔に固定ねじＳ１を上方から挿通して固定ねじＳ１の先部を下部ケース１０の下方へ突出させ、この突出した固定ねじＳ１の先部にナットＮを締結することで行う。そして、上述したように電源線Ｈが固定された固定具６を固定ねじＳ２，Ｓ２を用いて下部ケース１０に取り付けるとともに、電源線Ｈを下部ケース１０の電源線挿入孔（図示せず）を介して下部ケース１０内に挿入し、電源線Ｈと光源基板２とを接続する。
【００２６】
この後に透光パネル３を上部ケース１１の上面開口を閉塞するように上部ケース１１に嵌め込んで器具本体１に収納するとともに、透光パネル３と下部ケース１０のフランジ部１０ｂとの間にパッキン７を介在させる。最後に、下部ケース１０の下面側からシリコンなどの透光性を有する封止材Ｐを下部ケース１０内に充填し、充填した封止材Ｐを加熱、硬化させることでさらなる防水性の向上を図るとともに、発光ダイオード２０…の放熱性の向上を図るようにしている。尚、図の簡略化のため図１（ａ），（ｂ）において封止材Ｐは省略している。また尚、上記の例では、透光パネル３を上部ケース１１に嵌め込むようにしているが、接着剤などを用いて上部ケース１１に接着してもよいし、ねじなどを用いて上部ケース１１に固定するようにしてもよく、或いはカバーなどを用いて器具本体１とで透光パネル３を挟み込むようにしてもよい。
【００２７】
以上により構成された埋込型照明器具Ｌは、図１（ａ）に示すように、下部ケース１０の本体部１０ａを埋め込みボックス５の支持片５０ａ，５０ａ間の隙間から下方へ突出させるとともに、支持片５０ａ，５０ａ上に上部ケース１１の底部１１ａを載置した状態で埋め込みボックス５内に収納されて、上述の図６（ａ），（ｂ）に示す用途に用いられる。尚、埋込型照明器具Ｌは、施工面Ｘに埋め込み設置された際に、施工面Ｘと埋込型照明器具Ｌの上面（透光パネル３の上面及び器具本体１の上端面）とが同一平面上に位置するように各々の寸法を設定するのが好ましく、このように寸法を設定することで歩行者などが埋込型照明器具Ｌで躓いたりすることを防止できる。
【００２８】
次に、本実施形態の埋込型照明器具Ｌの光の照射範囲について図３を参照して説明する。尚、図３は図２を簡略化して示した説明図である。
【００２９】
まず、器具本体１に光拡散部を設けていない場合について説明すると、この場合、発光ダイオード２０は点光源であるから、埋込型照明器具Ｌの光は視野角αで示す範囲に照射されることになる。一方、従来例のように透光パネル３の下面側の位置Ｐ１に光拡散部を設けている場合は、光拡散部において理想的な面光源となっているとすると、埋込型照明器具Ｌの光は視野角βで示す範囲に照射されることになる。このときに照射範囲を広げるためには、透光パネル３の厚みを薄くして例えば位置Ｐ２に光拡散部を設けるようにすれば視野角γで示す範囲に光を照射することができるが、この場合は上述したように透光パネル３が破損しやすくなってしまう。これらに対して、本実施形態の埋込型照明器具Ｌでは、透光パネル３を複数枚（本実施形態では２枚）の透光部材３０，３１を重ね合わせて接合した積層構造として、透光部材３０，３１を接合する接着剤４を光拡散部としているので、透光パネル３中の位置Ｐ２に光拡散部を設けることができ、光拡散部において理想的な面光源となっているとすると、透光パネル３の厚みを薄くしなくても、埋込型照明器具Ｌの光は視野角γで示す範囲に照射されることになる。そして、照射範囲の広さは、図３を参照すれば明らかなように、視野角がγである場合に最も広く、次いでβ、αとなっているため、本実施形態によれば、透光パネル３の厚みを薄くすることなく、従来例の場合よりも光の照射範囲を広くできる。
【００３０】
つまり、本実施形態の埋込型照明器具Ｌによれば、透光パネル３を２枚の透光部材３０，３１を重ね合わせて接合してなる積層構造とするとともに、これら透光部材３０，３１の接合に用いる接着剤４が発光ダイオード２０…の光を拡散する光拡散部となるようにしているから、透光パネル３の厚みを薄くしなくても、光拡散部となる接着剤４を器具本体１の開口近傍（つまりは施工面Ｘの近傍）に設けることができ、これにより透光パネル３に所定の強度を確保しつつ、埋込型照明器具Ｌの光の照射範囲を広げることができる。
【００３１】
ところで、上記の例では、図１（ｂ）に示すように、発光ダイオード２０を埋め込みボックス５の短手方向の中央部に配置して、短手方向において光を等方的に照射するようにしているが、例えば発光ダイオード２０の配置位置を短手方向の一方に偏らせて、短手方向の他方への光の照射範囲を広くする、言い換えれば短手方向において光を異方的に照射するようにしてもよい。例えば、図６（ａ）に示す歩道橋ＣＷでは、車道ＲＷ側よりも歩道ＳＷ側に光を遠くまで照射するようにしたり、図６（ｂ）に示す階段ＳＣでは、階段ＳＣ側よりも歩道ＳＷ側に光を遠くまで照射するようにすることができる。つまり、このように光を異方的に照射することで、歩行者などに特に注意を促したい方向に光を遠くまで照射することが可能になる。
【００３２】
尚、上記の例では、光拡散部として乳白色の接着剤４を用いているが、このような接着剤４はこの例に限らず光を拡散する性質を有しているものであればよい。さらに、光拡散部としては、透光部材３０，３１を接合する接着剤４に限られるものではなく、例えば、透光部材３０の下面、或いは透光部材３１の上面、又はその両方をＶ字状などの凹凸形状に形成することで、これら透光部材３０，３１間の接合部位の一面を光拡散部として用いるようにしても同様の効果を得ることができる。
【００３３】
また尚、上記の例では、透光パネル３を２枚の透光部材３０，３１から構成しているが、例えば３枚の透光部材から透光パネル３を構成してもよいし、さらに多くの枚数から透光パネル３を構成するようにしてもよい。
【００３４】
さらに、透光パネル３と光源基板２との間に発光ダイオード２０…の光の色を異なる色に変換するカラーボードや、所定の文字や図形状に発光させるマスクなどを設けてもよいし、透光パネル３を構成する透明部材３０，３１間に上記のカラーボードやマスクなどを介在させるようにしてもよい。
【００３５】
一方、埋込型照明器具Ｌの器具本体１の形状は上記の例に限られるものではなく、状況に応じて好適なものとすればよい。
【００３６】
（実施形態２）
このような埋込型照明器具Ｌの認識性は、地面や床面、路面などの施工面近傍の照度に非常に影響されるため、ばらつきが生じやすい。例えば、図６（ａ）の例の如く屋外に設置した場合、周囲が明るい昼間では埋込型照明器具Ｌの光は認識し難く、周囲が暗い夜間では埋込型照明器具Ｌの光は認識し易くなる。一方、上記の例において、周囲が明るい昼間でも埋込型照明器具Ｌの光が認識されるように埋込型照明器具Ｌの照度を高くすると、昼間では認識し易くなるものの、周囲が暗い夜間では埋込型照明器具Ｌの光が眩しくなって歩行者に不快感を与えたり、視力を奪ってしまうおそれがある。
【００３７】
そこで、本実施形態では上記実施形態１の埋込型照明器具Ｌに、図４（ａ）に示すように、照度センサ８と、調光回路９とを設けていることに特徴がある。尚、その他の構成については上記実施形態１と同様であるから説明を省略する。
【００３８】
すなわち、本実施形態の光源基板２のプリント配線板２１には、図４（ａ）に示すように、ＬＥＤ発光ユニット２２と、埋込型照明器具Ｌが設置された施工面Ｘの周囲の明るさとして施工面Ｘ近傍での照度を検出する照度センサ８と、照度センサ８で検出した照度に基いて発光ダイオード２０…の輝度を調整する調光回路９とを設けている。
【００３９】
ここで、照度センサ８は、例えば表面実装型のものであり、受光素子（図示せず）を器具本体１の上方に向けるとともに、図５（ａ），（ｂ）に示すようにプリント配線板２１の上面側に実装されており、受光素子で施工面Ｘの照度を検出してその検出結果を調光回路９に出力するように構成されている。尚、リード型の照度センサ８を用いてもよい。
【００４０】
調光回路９は、外部の電源Ｖから得た電源電圧を元にしてＬＥＤ発光ユニット２２の発光ダイオード２０…に流す駆動電流を生成し、駆動電流の大きさによって発光ダイオード２０…の輝度の調整を自動的に行うものであり、本実施形態において調光回路９は、照度センサ８で検出した施工面Ｘの照度に基いて次のように発光ダイオード２０…の輝度を調整するように設定されている。
【００４１】
すなわち、調光回路９は、図４（ｂ）に示すように施工面Ｘの照度Ｉａに対して、各発光ダイオード２０…の輝度（つまりは埋込型照明器具Ｌの発光面の照度Ｉｂ）が比例するように、各発光ダイオード２０…の輝度を調整する。言い換えれば、照度Ｉａと照度Ｉｂとの間に埋込型照明器具Ｌの光をしっかりと視認できるような所定の照度差ΔＩを確保するように発光ダイオード２０…の輝度を調整するのである。このようにすることで、施工面Ｘの照度Ｉａが高い場合は、埋込型照明器具Ｌの発光面の照度Ｉｂを高くして埋込型照明器具Ｌの光が周囲に紛れて視認性が低下することを防止でき、また、施工面Ｘの照度Ｉａが低い場合は、埋込型照明器具Ｌの発光面の照度Ｉｂを低くして埋込型照明器具Ｌの光の眩しさを最小限に抑えることで、埋込型照明器具Ｌの光の眩しさによって歩行者に不快感を与えたり、視力を奪ったりすることを防止できる。尚、図４（ｂ）は一例として時間とともに施工面の照度Ｉａが高くなる例を示しているが、当然ながら照度Ｉａの時間変化はこのような例に限られるものではない。
【００４２】
したがって、本実施形態の埋込型照明器具Ｌによれば、周囲の明るさに影響されることなく、歩行者などに埋込型照明器具Ｌの光を見やすい明るさではっきりと視認させることが可能になり、また過度の光により歩行者などに不快感を与えたりすることがなくなるので、埋込型照明器具Ｌの視認性にばらつきが生じてしまうことを防止でき、結果として、常に見易い光を照射する埋込型照明器具Ｌを提供できる。
【００４３】
尚、照度センサ８を設ける位置は、上記の例に限定されるものではなく、例えば透光パネル３に照度センサ８配置用の凹部などを設けて照度センサ８をより器具本体１の上面近傍に配置するようにしてもよいし、状況に応じて好適な位置に配置すればよい。
【００４４】
また尚、上記の照度センサ８に加えて、発光面の照度を検出するセンサや、発光ダイオード２０…の輝度を検出するセンサを付設し、これらのセンサの検出出力を用いて調光回路９で発光ダイオード２０…の輝度をフィードバック制御するようにしてもよい。
【図面の簡単な説明】
【００４５】
【図１】（ａ）は、本発明の実施形態１の埋込型照明器具の一部を切り欠いた断面図であり、（ｂ）は、一部を切り欠いた上面図である。
【図２】図１（ａ）のＡ−Ａ線における概略断面図である。
【図３】本実施形態１の埋込型照明器具と従来例との比較説明図である
【図４】（ａ）は、本発明の実施形態２の埋込型照明器具のブロック図であり、（ｂ）は、動作の一例を示す説明図である。
【図５】（ａ）は、本発明の実施形態２の埋込型照明器具の一部を切り欠いた断面図であり、（ｂ）は、一部を切り欠いた上面図である。
【図６】（ａ）は、埋込型照明器具の使用例を示す説明図であり、（ｂ）は、他の使用例を示す説明図である。
【符号の説明】
【００４６】
１    器具本体
２    光源基板
２０  発光ダイオード
３    透光パネル
３０，３１  透光部材
４    接着剤
５    埋め込みボックス
Ｌ    埋込型照明器具
Ｘ    施工面
【図１】
2007026829.tif 000003
【図２】
2007026829.tif 000004
【図３】
2007026829.tif 000005
【図４】
2007026829.tif 000006
【図５】
2007026829.tif 000007
【図６】
2007026829.tif 000008